(57)【要約】【課題】より自然な動きを演出することができ、フックのサイズや形状を自由に選択することのできるラバージグタイプのルアーを提供する。【解決手段】おもりであるヘッド１１と、ヘッド１１に設けられたスカート１３と、ヘッド１１に設けられた、フック１５を連結するためのフック連結部１４とから成る。ヘッド１１とフック１５が連結具１６を介して連結されるため、フック１５がヘッド１１に対して自由に動くことができ、フック１５へのトレーラー（疑似餌）の取り付けが容易となる。また、１つのヘッド１１に対して複数のフック１５を取り替えて取り付けることができるため、対象魚に応じたトレーラーのサイズや形状に応じた適切なフック１５を用いることができるようになる。フック１５が曲がったり損傷した場合に、フック１５だけを交換することができる。【選択図】図１
2008035774.tif 000002
【特許請求の範囲】
【請求項１】
a) おもりとして作用するヘッド部と、
b) ヘッド部に設けられたスカート部と、
c) ヘッド部に設けられた、フックを連結するためのフック連結部と、
を備えることを特徴とするルアーフィッシング用ラバージグ。
【発明の詳細な説明】
【技術分野】
【０００１】
本発明は、ルアーフィッシングにおいて用いられるラバージグに関するものである。
【背景技術】
【０００２】
ルアーフィッシングにおいては、釣り糸の先にフックが結びつけられ、そのフックにルアー（疑似餌）が固定されるのが一般である（例えば、特許文献１）。
【０００３】
一方、ルアーフィッシング用ルアーの一種に、ラバージグ２０と呼ばれるものがある（図５）。これは、おもりであるヘッド２１とフック２５が一体に固定され、ヘッド２１の周りにはスカート２３と呼ばれる、ゴムやシリコーン製の細い繊維状のものが、フック２５が隠れるように、多数巻きつけられたものである。なお、ヘッド２１には、釣り糸を結ぶためのアイ２２と呼ばれる部品が固定されている。このスカート２３が水中で開閉することにより、対象とする魚を誘う。魚は、動きのあるものの方により近づきやすいという習性があるため、これにより、より多くの魚を誘うことができる。
【０００４】
このラバージグ２０は、それのみで使用されることもあるが、状況に応じて、トレーラーと呼ばれる軟質の疑似餌をフック２５にセットすることもある。これにより、ラバージグ２０全体がより自然の生き物に近く見え、対象魚をより多く誘引する。なお、「ルアー」という言葉は、ラバージグ等の、フックを含めたジグ全体を指すこともあるが、トレーラーのみを指す場合もある。
【０００５】
ヘッド２１の素材は様々であるが、鉛や樹脂タングステンといった比重の高い金属素材がよく使われる。
【０００６】
【特許文献１】実用新案登録公報第3021827号
【発明の開示】
【発明が解決しようとする課題】
【０００７】
しかしながら、従来のラバージグ２０では、スカート２３の巻かれているヘッド２１がフック２５と一体に固定されている為、水中において、フック２５の抵抗によりスカート２３の動きが妨げられ、充分な集魚効果を得られない。また、トレーラーを装着するにあたっても、フック２５とヘッド２１が一体である為、フック２５のサイズを変更することができず、取り付けられるトレーラーのサイズや形状に制約ができてしまう。
【０００８】
また、フック２５が折れたり傷んだりした場合、ラバージグ２０全体を破棄、交換せざるを得なかった。
【０００９】
本発明では、より自然な動きを演出することができ、フックのサイズや形状を自由に選択することのできるラバージグタイプのルアーを提供することを目的とする。
【課題を解決するための手段】
【００１０】
上記課題を解決するために成された本発明に係るルアーフィッシング用ラバージグは、
a) おもりとして作用するヘッド部と、
b) ヘッド部に設けられたスカート部と、
c) ヘッド部に設けられた、フックを連結するためのフック連結部と、
を備えることを特徴とする。
【発明の効果】
【００１１】
本発明に係るルアーフィッシング用ラバージグでは、ヘッド部とフック部が連結具を介して連結されているため、フック部がヘッド部に対して自由に動くことができ、フック部へのトレーラーの取り付けが容易となる。
【００１２】
また、連結具を、容易に取り付け・取り外すことのできる構造とすることにより、１つのヘッド部に対して複数のフック部を取り替えて取り付けることができる。従って、対象魚に応じたトレーラーのサイズや形状に応じた適切なフック部を用いることができるようになる。
【００１３】
更に、実際に使用する際には、スカートの巻かれているヘッド部が、フック部に拘束されることなく水中で単体で動くことができるため、より細やかな動きや滑らかな動きを表現し、対象魚を誘うことが可能となる。
【００１４】
従来のラバージグタイプのルアーではフックが錆びたり針先が痛んだ場合、ルアー全体を交換するしかなかったが、本発明に係るフック別体式のラバージグであれば、フックのみを交換することでルアーとしての機能を保ち続けることができる。
【００１５】
更に、トレブルフックと呼ばれる三本針や、ダブルフックと呼ばれる二本針、といったラバージグタイプのルアーに無かったフックを取り付けることも可能となり、動きによる集魚効果に加え、場所や対象魚に応じたフックを選択することで釣果を上げることができる。
【００１６】
以上のように本発明はスカートの巻かれたヘッド部とフックを別体式とすることで、ヘッド部がフックの影響を受けることなく自由に動くことができ、ルアーをより細かく、滑らかに動かすことができると共に、フックやトレーラーを自由に選択することができる。
【発明を実施するための最良の形態】
【００１７】
以下、実施例を用いて本発明を具体的に説明する。図１は、本発明の一実施例のフック別体式ラバージグ１０の斜視図である。本実施例のフック別体式ラバージグ１０は、鉛などで形成されたジグヘッド（おもり）１１と、ジグヘッド１１に固定された釣糸用アイ１２と、ジグヘッド１１に固定されたスカート１３と、フック連結用アイ１４で構成される。
【００１８】
この実施例のラバージグ１０では、フック１５がフック連結用アイ１４によりジグヘッド１１に連結されるので、スカート１３の巻かれているジグヘッド１１とフック１５とが別々に動くことができる。その結果、スカート１３の装着されたジグヘッド１１は細かく動くことができる。また、フック１５の交換が可能になる。なお、フック連結用アイ１４とフック１５とを連結する連結部材１６としては、ライン（道糸）や市販の金属製のリング等を使うことができる。
【００１９】
図２は、図１のフック別体式ラバージグ１０に、トレーラーとしてザリガニ型軟質素材製ルアー（疑似餌）１７をセットした状態を示している。
【００２０】
また、図３は、図１のフック別体式ラバージグ１０にトレーラーとしてミミズ型軟質素材製ルアー（疑似餌）１８をセットした状態を示している。図２に示したザリガニ型軟質素材製ルアー（疑似餌）１７とはルアーのサイズが異なるため、このルアー（ミミズ型ルアー）１８にちょうど良いサイズの、やや小型のフック１５を選択し、取り付けてある。
【００２１】
図４は、図１に示したフック別体式ラバージグ１０に、ダブルフック１９を装着した状態の斜視図である。ダブルフック１９の場合は、フック連結用アイ１４に直接取り付けられるため、連結部材１６は必要ない。
【図面の簡単な説明】
【００２２】
【図１】本発明の一実施例であるフック別体式ラバージグの斜視図。
【図２】該フック別体式ラバージグにザリガニ型軟質素材製ルアー（疑似餌）をセットした場合の斜視図。
【図３】該フック別体式ラバージグにミミズ型軟質素材製ルアー（疑似餌）をセットした場合の斜視図。
【図４】上記実施例のフック別体式ラバージグにダブルフックを装着した場合の斜視図。
【図５】従来のフック一体式ラバージグの斜視図。
【符号の説明】
【００２３】
１０…フック別体式ラバージグ
１１…ジグヘッド
１２…釣糸用アイ
１３…スカート
１４…フック連結用アイ
１５…フック
１６…連結部材
１７…ザリガニ型軟質素材製ルアー（疑似餌）
１８…ミミズ型軟質素材製ルアー（疑似餌）
１９…ダブルフック
２０…従来のラバージグ
２１…ヘッド
２２…釣糸用アイ
２３…スカート
２５…フック
【図１】
2008035774.tif 000003
【図２】
2008035774.tif 000004
【図３】
2008035774.tif 000005
【図４】
2008035774.tif 000006
【図５】
2008035774.tif 000007